(57)【要約】【課題】従来のＬＥＤ電球は、筒状の基板の軸方向に沿った外側壁と軸方向に直角な外側面にＬＥＤを実装し、前記基板を覆うように透光性カバーを設けることにより、前記基板の軸に直角方向にも強い光を放射させることができ、照射範囲（配光領域）を広くすることができるが、製造工程が複雑となり、製造コストが高くなるという問題があった。【解決手段】本願発明に係る照明装置は、光源と、該光源から出射された光を透過させる透光部とを備える照明装置において、前記透光部は、第１の光透過率の第１の領域と、前記第１の光透過率よりも小さい第２の光透過率の第２の領域を有することを特徴とする。【選択図】図１
2010198808.tif 000002
【特許請求の範囲】
【請求項１】
光源と、該光源から出射された光を透過させる透光部とを備える照明装置において、
前記透光部は、第１の光透過率の第１の領域と、前記第１の光透過率よりも小さい第２の光透過率の第２の領域を有することを特徴とする照明装置。
【請求項２】
前記光源から出射され、前記透光部にて反射された光を反射する反射部を備えることを特徴とする請求項１に記載の照明装置。
【請求項３】
前記透光部は、
前記第１の領域を前記光源に対向する領域に有し、
前記第２の領域を前記第１の領域の周囲に有することを特徴とする請求項１または請求項２に記載の照明装置。
【請求項４】
前記第１の光透過率が前記第２の光透過率と同じである場合よりも、配光を広げたことを特徴とする請求項１から請求項３までの何れか１項に記載の照明装置。
【請求項５】
前記透光部は、前記第１の領域を前記第２の領域よりも厚みを厚くすることにより、第１の光透過率を第２の光透過率よりも小さくしていることを特徴とする請求項１から請求項４までの何れか１項に記載の照明装置。
【請求項６】
前記透光部は、前記第１の領域において、複数の透光部を重ねることによって、第１の光透過率を第２の光透過率よりも小さくしていることを特徴とする請求項１から請求項５までの何れか１項に記載の照明装置。
【請求項７】
前記透光部は、前記第１の領域において、光を拡散させる拡散部を兼ねることを特徴とする請求項６に記載の照明装置。
【請求項８】
前記光源は、発光ダイオードであることを特徴とする請求項１から請求項７までの何れか１項に記載の照明装置。
【発明の詳細な説明】
【技術分野】
【０００１】
本発明は、光源から出射された光を透過させる透光部を備える照明装置に関する。
【背景技術】
【０００２】
近年、発光ダイオード（以下、ＬＥＤと記す）を光源とする照明装置の開発が行われており、ＬＥＤを光源とするＬＥＤ電球も提案されている（例えば特許文献１）。
【０００３】
図１４に示したのは、特許文献１に記載されている従来のＬＥＤ電球１０１の縦断面図である。該ＬＥＤ電球は、筒状の基板１０２の軸方向に沿った外側壁１０３と軸方向に直角な外側面１０４にＬＥＤ１０５を実装し、前記基板を覆うように透光性カバー１０６を設けてある。前記構成とすることにより、特にＬＥＤ電球１０１の前記基板１０２の軸に直角方向にも強い光を放射させることができ、照射範囲（配光）を広くすることができる。
【先行技術文献】
【特許文献】
【０００４】
【特許文献１】特開２００１−２４３８０７号公報
【発明の概要】
【発明が解決しようとする課題】
【０００５】
しかし、上記特許文献１に記載されているＬＥＤ電球１０１は、複数のＬＥＤ１０５を筒状の基板１０２の外側壁１０３及び外側面１０４の何れにも実装させる必要があるため、製造工程が複雑となり、製造コストが高くなるという問題があった。
【０００６】
本願発明は、上記問題に鑑みてなされたものであり、簡単な構成で、配光を広げた照明装置を提供することを目的とする。
【課題を解決するための手段】
【０００７】
本発明の照明装置は、光源と、該光源から出射された光を透過させる透光部とを備える照明装置において、前記透光部は、第１の光透過率の第１の領域と、前記第１の光透過率よりも小さい第２の光透過率の第２の領域を有することを特徴とする。
【０００８】
本発明によれば、光透過率の小さい第１の領域において反射させて、第２の領域から出射させることができるので、透光部を均一の光透過率で形成した場合よりも、配光を広げることが可能となる。
【０００９】
本発明の照明装置は、さらに、前記光源から出射され、前記透光部にて反射された光を反射する反射部を備えることを特徴とする。
【００１０】
本発明によれば、反射部が、透光部で光源側に反射することができるので、第１の領域に出射された光を第２の領域に導光することが可能となる。
【００１１】
本発明の照明装置は、さらに、前記透光部は、前記第１の領域を前記光源に対向する領域に有し、前記第２の領域を前記第１の領域の周囲に有することを特徴とする。
【００１２】
本発明によれば、光源から出射されて最も到達し易い領域を光透過率が小さい第１の領域とするので、第１の領域に到達する光を第２の領域により多く到達させることが可能となる。
【００１３】
本発明の照明装置は、さらに、前記第１の光透過率が前記第２の光透過率と同じである場合よりも、配光を広げたことを特徴とする。
【００１４】
本発明によれば、第１の領域の光透過率を第２の領域の光透過率よりも小さくすることにより、配光を広げることが可能となる。
【００１５】
本発明の照明装置は、さらに、前記透光部は、前記第１の領域を前記第２の領域よりも厚みを厚くすることにより、第１の光透過率を第２の光透過率よりも小さくしていることを特徴とする。
【００１６】
本発明によれば、透光部の第１の領域を第２の領域の厚みよりも厚くするだけで、第１の領域の光透過率を第２の領域の光透過率よりも小さくすることができるので、同一材料で透光部を形成することが可能となる。
【００１７】
本発明の照明装置は、さらに、前記透光部は、前記第１の領域において、複数の透光部を重ねることによって、第１の光透過率を第２の光透過率よりも小さくしていることを特徴とする。
【００１８】
本発明によれば、透光部の第１の領域に別の透光部を重ねるだけで、第１の領域を第２の領域よりも厚くして、光透過率を小さくすることが可能となる。
【００１９】
本発明の照明装置は、さらに、前記透光部は、前記第１の領域において、光を拡散させる拡散部を兼ねることを特徴とする。
【００２０】
本発明によれば、第１の領域において光を拡散させることができるので、配光をより広範に広げることが可能となる。
【００２１】
本発明の照明装置は、さらに、前記光源は、発光ダイオードであることを特徴とする。
【００２２】
本発明によれば、指向性の強い発光ダイオードを光源に用いても、配光の広い照明装置を実現することが可能となる。
【発明の効果】
【００２３】
本願発明によれば、簡単な構成で、照明装置の配光を広げることが可能である。
【図面の簡単な説明】
【００２４】
【図１】本発明の照明装置の実施の形態１の要部斜視図である。
【図２】図１の照明装置の要部分解斜視図である。
【図３】図１の照明装置の要部縦半断面図である。
【図４】図１の照明装置の要部縦断面図である。
【図５】図１の照明装置に用いられる光源モジュールの模式図である。
【図６】図１の照明装置の光源取り付け面における光源モジュール及び反射部の取り付け状態を説明する図である。
【図７】図１の照明装置に用いられる駆動回路部のブロック図である。
【図８】図１の照明装置に用いられる駆動回路部の回路図である。
【図９】図１の照明装置の鉛直配光曲線図である。
【図１０】図１の照明装置の光源から出射された光の光路の一部を示す説明図である。
【図１１】本発明の照明装置の実施の形態２の要部縦断面図である。
【図１２】本発明の照明装置の実施の形態３の要部縦断面図である。
【図１３】本発明の照明装置の実施の形態４の要部縦断面図である。
【図１４】従来のＬＥＤ電球の縦断面図である。
【発明を実施するための形態】
【００２５】
以下、本発明に係る照明装置の実施の形態について、図面を用いて説明する。なお、照明装置として、ＬＥＤ電球を例示して説明する。
（実施の形態１）
図１は、本発明の照明装置の実施の形態１の要部斜視図である。図２は、図１の照明装置の要部分解斜視図である。図３は、図１の照明装置の要部縦半断面図である。図４は、図１の照明装置の要部縦断面図である。
【００２６】
まず、図１から図４を参照して、照明装置１の構成について説明する。
【００２７】
照明装置１は、複数のＬＥＤ（図示せず）を実装した光源モジュール２を光源とするＬＥＤ電球であって、前記光源モジュール２は、放熱部３の光源取り付け面４に熱伝導シート５を介装して取り付けられている。放熱部３は、例えばアルミニウム等の軽量かつ熱伝導性の高い金属からなり、略円筒形状をしている。また、放熱部３は、円筒の外周面に複数の放熱溝６を有しており、光源モジュール２から放熱部３に伝達される熱は放熱溝６を利用して外周面から外部の空気に放熱される。
【００２８】
さらに、放熱部３は、内部に空洞が形成されており、前記光源モジュール２を駆動する駆動回路部７を収容する収容部８を有している。また、放熱部３は、収容部の開口端９側に、外部のソケットに嵌めて商用電源に電気的に接続するための電源接続部としての口金１０を備え、連結体１１によって放熱部３と口金１０が連結されている。
【００２９】
なお、駆動回路部７は、保護回路、整流回路及び定電流回路等の複数の電子回路部品２１から構成され、商用電源から提供される交流は、当該駆動回路部７で定電流に変換されて光源モジュール２に供給される。
【００３０】
また、放熱部３は、光源取り付け面４側に、光源モジュール２から照射される光を制御して照射面における配光分布等を制御する光制御部材である透光部１２をカバーとして有しており、透光部１２は、放熱部３の外周面１５における光源取り付け面４側の端部に螺合係止されている。透光部１２の詳細については、さらに後述する。
【００３１】
次に、放熱部３の構造について詳細に説明する。
【００３２】
放熱部３は、円筒の軸方向（図３及び図４の矢印方向）に平行な複数の放熱溝６を有しており、円筒の一端から他端まで達する一方向の直線状の溝を有している。複数の放熱溝６の間に形成される凸部１３は、エッジが取り除かれた滑らかなＲ形状に成形されているので、使用者が電球の交換等で放熱部に触れることによって怪我することを防止している。
【００３３】
また、放熱溝６の深さは、放熱部３が熱源である光源モジュール２および／または駆動回路部７からの発熱を十分に放熱するための放熱性を確保するために必要な表面積（以下、放熱面積と記す）から、放熱部３の円筒外径及び放熱溝６の本数との関係において求められる。本実施の形態の放熱部３においては、円筒外径が略６８ｍｍ、円筒の長さが略１０９ｍｍであり、放熱溝６の数を９０本とした場合には、放熱溝６の幅が略１．５ｍｍ、深さが略１．５ｍｍである。
【００３４】
前記放熱溝６の略１．５ｍｍの深さは、従来のＬＥＤ電球に設けられていた放熱フィン間の深さに比較して非常に浅いので、放熱溝６に埃が溜まり難く、かつ放熱溝６に埃が溜まったとしても、清掃を容易に行うことができる。従って、放熱部３を常に清潔に保つことができるので、埃に起因する発火を防止して照明装置の安全性を高めることが可能となる。なお、発明者らの実験により、放熱溝６の深さが略２ｍｍ以下であれば、清掃性が良いことが確認されている。
【００３５】
また、放熱溝６は、少なくとも一端において隅部２８がＲ形状が設けられるなどにして、放熱溝６の底部１４が放熱部の外周面１５に対して徐々に浅くなるように形成されていることが好ましい。よって、埃が微小であっても、上記放熱溝６が徐々に浅くなる構造を利用して、ブラシ等の清掃具で埃を容易に掃き出すことができる。
【００３６】
さらに、放熱溝６の設けられる方向は軸方向に限らず、円筒の円周に沿った方向でもよい。また、放熱溝６が一方向に平行に設けられていれば、ブラシ等の清掃具を一方向に動かすことによって、埃を掃き出すことができるので、清掃性は向上する。
【００３７】
また、放熱部３は、口金１０側から光源取り付け面４側に向かって外周が略１°の傾斜角で僅かに縮径していることが好ましい。放熱部３を僅かに縮径させておくことにより、放熱部３をダイカスト金型鋳造で製造した場合において、金型から引き抜く工程が容易となるので、製造性を向上させることができる。
【００３８】
さらに、放熱部３の表面である光源取り付け面４、外周面１５及び放熱溝６は塗装されていることが好ましい。塗装を施すことによって錆等の酸化や腐食の進行を遅らせることができるので、照明装置の耐久性を高めることができる。また、白色の塗装がより好ましく、他の色と比較して、放熱部３の放熱性を高めることができる。
【００３９】
次に、放熱部３の収容部８における駆動回路部７の保持構造について詳細に説明する。
【００４０】
放熱部３の内部は、図３及び図４に示すように、駆動回路部７を収容するのに必要な容積を有する空洞の収容部８が形成されている。駆動回路部７は、２本の柱状のスペーサー１６によって、収容部８の底面１７から所定の距離を保つように保持されている。各スペーサー１６の一端は、収容部８の底面１７と光源取り付け面４を貫通して設けられたネジ等の第１の係止部１８に連結されて固定されており、各スペーサー１６の他端は、駆動回路部７の基板に絶縁シート１９を介装してネジ等の第２の係止部２０に連結されて固定されている。
【００４１】
よって、駆動回路部７は、収容部８の底面１７に対してスペーサー１６を介して機械的に固定されることになり、照明装置が外部から衝撃を受けた場合であっても、駆動回路部７を収容部８内で安定して保持することが可能である。
【００４２】
また、駆動回路部７は、収容部８内において、駆動回路部７を構成する電子回路部品２１が口金１０側に配置されるように保持されていることが好ましい。そうすることにより、熱源である光源モジュール２及び駆動回路部７を一定の距離を空けて保持することになるので、熱源の集中を避けることができ、発火の危険性を低減するとともに、放熱部３の放熱性をより向上させることが可能となる。
【００４３】
なお、スペーサー１６としては、放熱部３の底面１４と駆動回路部７の電気的な絶縁性を確保する必要があるので、ＰＢＴ(ポリブチレンテレフタレート)等の合成樹脂といった電気的な絶縁性を有する部材が用いられることが好ましい。
【００４４】
また、駆動回路部７は、放熱部３の収容部８の底面１７に対して所定の距離を保ちつつ、絶縁シート１９を間に配して保持されているので、放熱部３と駆動回路部７の間で電気的な絶縁性を確保することができる。さらに、収容部８の内周面に駆動回路部７を囲むように絶縁シート２２を設けることによって、放熱部３と駆動回路部７の間での電気的な絶縁がより確実に為されている。
【００４５】
次に、連結体１１、連結体１１と放熱部３の螺合構造及び連結体１１と口金１０の螺合構造について詳細に説明する。
【００４６】
連結体１１は、駆動回路部７と口金１０とを電気的に接続する配線を挿通させる挿通路（図示せず）を有し、連結体１１の両端部は放熱部３の収容部８と口金１０の形状と整合した筒形状である。上述したように、放熱部３は、熱源からの熱を放熱することを目的として金属が用いられているので、導電性を有することとなり、連結体１１は、商用電源に電気的に接続される口金１０と導電部材である放熱部３の間で電気的な絶縁性を有していることが必要である。また、連結体１１は、熱源から伝達される熱によって溶融等して変形することを防止するために耐熱性を備えている。本実施の形態の連結体１１は、磁器によって構成されている。
【００４７】
また、磁器は、電気的な絶縁性を有するとともに、融点が略１２００℃であるので、従来の電球の連結体に用いられていた合成樹脂（例えばプラスチックの融点は１００℃〜２００℃程度）と比較して高く、高い耐熱性を有している。さらに、磁器は、合成樹脂と比較して熱伝導率も高い（例えばプラスチックと比較すると約１０倍程度）ので、連結体を放熱体として作用させることができる。
【００４８】
なお、連結体１１として、耐熱性まで考慮せずに不燃性を有すれば、収容部８内の駆動回路部７が発火したとしても連結体１１自体が発火することを防止することができる。よって、磁器以外のガラス、ＰＢＴ（ポリブチレンテレフタレート）等の他の材質であってもよい。
【００４９】
また、連結体１１は放熱部３と口金１０を連結するために、放熱部３との間で放熱部３と螺合係止するための第１の螺合構造３７を有し、口金１０との間で口金１０と螺合係止をするための第２の螺合構造３８を有する。なお、透光部１２は、放熱部３の光源取り付け面４側の端部に螺合係止されるが、透光部１２側にめねじ（凹部）を形成し、放熱部３側におねじ（凸部）を形成することによって第３の螺合構造３６を構成している。
【００５０】
第１の螺合構造３７は、収容部８の内周面の開口端側の端部に形成されためねじ（凹部）である第１の連結体取り付け凹部３９と、連結体１１の外周面の放熱部３側の端部に形成されたおねじ（凸部）である放熱部取り付け凸部（図示せず）から構成される。放熱部取り付け凸部を、第１の連結体取り付け凹部３９に螺合させることによって、放熱部３と連結体１１の螺合係止がなされる。
【００５１】
第２の螺合構造３８は、連結体１１の外周面の口金１０側の端部に形成されたおねじ（凸部）である口金取り付け凸部（図示せず）と、口金１０の内周面の連結体１１側の端部に形成された口金取り付け凸部に螺合するめねじ（凹部）である第２の連結体取り付け凹部４２から構成される。口金取り付け凸部を、第２の連結体取り付け凹部４２に螺合させることによって、連結体１１と口金１０の螺合係止がなされる。
【００５２】
次に、光源モジュール２及び光源取り付け面４における光源モジュール２の固定構造について詳細に説明する。
【００５３】
図５は、光源モジュール２の模式図である。図６は、光源取り付け面４における光源モジュール２及び反射部２３の取り付け状態を説明する図であって、図６（ａ）は光源モジュール２及び反射部２３が取り付けられていない状態の光源取り付け面４を示し、図６（ｂ）は光源モジュール２及び反射部２３が取り付けられている状態の光源取り付け面４の状態（ただし、放熱部を省略している）を示す。
【００５４】
光源モジュール２は、セラミックからなる略矩形のモジュール基板２４上に複数のＬＥＤチップ（図示せず）を密集して実装した擬似白色の光源モジュールであって、当該複数のＬＥＤチップは蛍光体を含んだ封止樹脂によって封止されている。蛍光体は、ＬＥＤチップから出射される青色の光に励起されて黄色の光を発するので、光源モジュール２から出射される光は、ＬＥＤチップからの青色の光と蛍光体からの黄色の光により白色に視認される。
【００５５】
また、矩形のモジュール基板２４の対角に位置する端部には、２つの光源モジュール係止孔２６が設けられており、光源取り付け面４に設けられた位置決め凸部２７に光源モジュール係止孔２６を嵌合することによって、光源取り付け面４における光源モジュール２の位置決めがなされる。なお、上述したように光源モジュール２と光源取り付け面４の間に熱伝導シート５を配しているので、光源モジュール２からの熱を放熱部３に効率よく伝達することができる。
【００５６】
また、矩形のモジュール基板２４の光源モジュール係止孔２６が設けられていない側の対角に位置する端部には、駆動回路部７から供給される定電流を入力するための一組の電極が形成されている。電極の一方が正電極２９であり、他方が負電極３０である。
【００５７】
正電極２９及び負電極３０には、光源モジュール２に電流を供給するための配線３１が接続されており、配線３１は矩形のモジュール基板２４の対向する２辺の切り欠き部３２を通じ、さらに、放熱部３の光源取り付け面４に形成されている配線挿通孔３３を挿通して、駆動回路部７に接続されている。
【００５８】
光源取り付け面４には、光源モジュール２を被照射側から押圧して保持するとともに、光源モジュール２から照射された光及び透光部１２で乱反射した光を反射する板状の反射部２３が取り付けられる。
【００５９】
反射部２３は、４つの反射部係止孔３４を有しており、その内の２つの反射部係止孔３４において、被照射側から前記第１の係止部１８によって光源取り付け面４の係止孔４３を用いて係止する事によって、前記駆動回路部７を保持するスペーサー１６、光源モジュール２及び反射部２３を一体的に固定することができる。反射部２３が、スペーサー１６及び光源モジュール２の固定を兼ねることにより、光源モジュール２の固定用のネジといった個々の部品毎の係止部材が不要となるので、部品点数を削減することができる。
【００６０】
また、反射部２３中央の光源モジュール２に対応する位置に、光源モジュール２からの光を取り出す矩形の光取り出し窓３５を有する。光取り出し窓３５は光源モジュール２の発光部２５に対応した形状であって、光取り出し窓３５の周囲に渡って斜面が形成されており、光を効果的に反射することができる。
【００６１】
さらに、反射部２３の外形周囲、反射部係止孔３４及び光源取り付け面４の位置決め凸部２７に対応する位置の周囲をリブ形状とすることにより、反射部２３の強度確保を図っている。
【００６２】
なお、反射部２３は、高反射率（略９５％程度）であることが好ましく、白色とすることで反射率を向上させている。また、熱源である光源モジュール２を押圧して保持するので、難燃性の材料であることが好ましい。本実施の形態では、ポリカーボネート樹脂を用いている。
【００６３】
図７は、図１の照明装置に用いられる駆動回路部５２のブロック図である。図８は、図７の駆動回路部５２の回路図である。
【００６４】
図７を用いて、駆動回路部５２の構成について説明する。
【００６５】
駆動回路部５２は、口金１０及び口金１０から配設された配線により商用電源と電気的に接続されており、商用電源はまず保護回路部５３に接続される。保護回路部５３は、定格以上の過電流が流れると切断して駆動回路部５２（特に制御ＩＣ６４）及び光源モジュール２を保護する電力ヒューズ（第１の電力ヒューズ６０・第２の電力ヒューズ６１）と、駆動回路部５２の周囲の雰囲気の温度が所定の温度以上になると切断して駆動回路部５２（特に制御ＩＣ６４）及び光源モジュール２を保護する温度ヒューズ６２と、過電圧から駆動回路部５２（特に制御ＩＣ６４）及び光源モジュール２を保護するバリスタ５９から構成される。
【００６６】
保護回路部５３の出力端は、フィルタ回路部５４に接続される。フィルタ回路部５４は、コンデンサＣ１、抵抗Ｒ２、チョークコイルＬ１から構成される。フィルタ回路部５４によって、商用電源から供給される交流に含まれるノイズが除去される。
【００６７】
フィルタ回路部５４の出力端は、整流回路部５５に接続される。整流回路部５５は、４つのダイオードから構成されるダイオードブリッジ６３であって、供給された交流が全波整流されて出力される。
【００６８】
整流回路部５５の出力端は、平滑回路部５６に接続される。平滑回路部５６は平滑コンデンサであって、整流回路部５５で全波整流された電流を平滑化して直流に平滑化される。なお、平滑コンデンサＣ２として、例えば大容量の電解コンデンサが用いられる。
【００６９】
平滑回路部５６の出力端は、定電流制御部５７に接続される。定電流制御部５７は制御ＩＣであって、平滑回路部５６から入力される直流を制御して、複数のＬＥＤからなる光源モジュール２に定電流を供給する。なお、定電流制御部５７は、内部に降圧回路としてのトランスを内蔵しており、光源モジュール２の駆動電圧の大きさに降圧している。
【００７０】
また、定電流制御部５７の出力端の１つは光源モジュール２の入力端に接続され、定電流制御部５７の出力端のもう１つは調光回路部５８に接続される。調光回路部５８はフォトカプラであって、調光信号を伝達する。
【００７１】
図８を用いて、各電子回路部品の接続関係をより詳細に説明する。
【００７２】
交流である商用電源にバリスタ５９が並列に接続され、さらに商用電源の一端に第１の電力ヒューズ６０が接続され、他端に第２の電力ヒューズ６１と温度ヒューズ６２が接続されている。次に、保護回路部５３の出力端に、直列に接続された抵抗Ｒ２とコンデンサがＣ１並列に接続され、第１の電力ヒューズ６０の出力端にチョークコイルＬ１が接続されている。
【００７３】
さらに、ダイオードブリッジ６３及び平滑コンデンサＣ２が順に並列に接続され、平滑コンデンサＣ２の一端は定電流制御部５７である制御ＩＣ６４に接続されている。制御ＩＣ６４の出力端の１つは複数のＬＥＤからなる光源モジュール２に接続され、出力端の１つは調光回路部５８である第１のフォトカプラ６５及び第２のフォトカプラ６６に接続されている。
【００７４】
調光制御を行う場合は、制御ＩＣ６４に、第１のフォトカプラ６６から出力される調光信号を入力して、制御ＩＣ６４が調光信号に応じて、光源モジュール２に調光された電流を供給することにより為される。より詳細に説明すると、位相制御部（図示せず）を駆動回路部５２の電源入力側に設け、商用電源からの交流を位相制御機部で位相制御して調光を行うための電源波形を出力する。次に、第１のフォトカプラ６６は、前記電源波形に応答して、調光信号を制御ＩＣ６４に送信し、制御ＩＣ６４は前記調光信号に応じた出力制御（ＰＷＭ制御）を行うことによって、光源モジュール２は調光される。
【００７５】
以上の構成により、光源モジュール２に商用電源から供給される交流が定電流に変換されて入力されるので、光源モジュール２は所定の輝度で発光する。また、調光回路部５８を制御することにより、異なる輝度に切り替えて発光させることができる。定電流制御部５７に外部から調光を切り替える信号を入力することによって、光源モジュール２の輝度を変える構成とすることができる。
【００７６】
また、上述したように照明装置が調光機能を備えたことにより、照明装置が設置される場所、時間及び用途に応じて、使用者が自由に調光して光源の輝度を制御することが可能となる。
【００７７】
さらに、上記駆動回路部５２の回路構成は一例であって、それぞれの回路部の構成は限定されるものではない。例えば、駆動回路部は、電力ヒューズ、温度ヒューズ及びバリスタからなる保護回路を備えているが、電力ヒューズ、温度ヒューズ及びバリスタの全てを有している必要はなく、その中の１つのみ有していてもよい。
【００７８】
なお、照明装置は、保護回路部と調光回路部の一方のみを有していてもよい。
（透光部と配光図）
図９は、図１の照明装置の鉛直配光曲線図である。図１０は、図１の照明装置の光源から出射された光の光路の一部を示す説明図である。図９および図１０を用いて、透光部１２の詳細と照明装置１の配光特性について説明する。
【００７９】
透光部１２は、円筒形状のカバーであり、円筒の軸方向の長さは略３０ｍｍ、厚さが略３ｍｍである。また、円筒の天面及び内天面の中央近傍をそれぞれ略０．５ｍｍ及び略１ｍｍ僅かに膨らませ、さらに、また放熱部３の縮径に合せて、透光部１２の外周面も略１°の傾斜角で縮径させている。上記形状とすることにより、円筒形状であっても僅かに丸みを持たせることができ、かつ放熱部３に沿った形状となるので、透光部１２及び電球の見栄えを良くすること可能となる。また、丸みを帯びた従来の電球と大きく形状がことなるので、斬新なイメージを使用者に与えることができる。
【００８０】
さらに、透光部１２は、照明装置の配光特性を広げるために、第１の領域としての天面６７の第１の光透過率と、天面の周囲あたる第２の領域としての側周面６８の第２の光透過率を異ならせている。具体的には、第１の光透過率は３０％であり、第２の光透過率は６０％であり、第１の光透過率を第２の光透過率よりも小さくしてある。光透過率を異ならせるために、透光部１２の天面６７と側周面６８の材料を異ならせるようにしていてもよく、例えば、天面６７をポリカーボネート樹脂で形成し、側周面６８をプラスチック樹脂またはガラスで形成していてもよい。なお、透光部１２の第１の領域および第２の領域における光の吸収率は僅かであり略同等とする。
【００８１】
また、天面６７と側周面６８がポリカーボネート樹脂等の同一の材料で形成されていても、第１の光透過率を第２の光透過率よりも小さくしてあればよく、例えば、第１の領域は乳白色とし、第２の領域を透明にしていてもよい。なお、透光部１２は、透過または反射する光を拡散させるように拡散物質を有し、拡散部を兼ねていてもよい。
【００８２】
照明装置１は、天面６７の光透過率を側周面６８の光透過率よりも小さくすることにより、図９の実線で示す配光特性Ａとなる。実線で示すもう一方の配光特性Ｂは、透光部１２の光透過率を６０％で均一にした照明装置の配光特性である。
【００８３】
図９に示すように、実線で示した一方の配光特性Ａの方が、実線で示した他方の配光特性Ｂよりも配光が広い。つまり、天面６７の光透過率を側周面６８の光透過率よりも小さくすることによって、照明装置１の直下方向にあたる０度付近の光度は減少するが、前記直下方向の周辺にあたる３０度から１５０度の光度が増加することにより、結果として、透光部１２を均一の光透過率とした場合によりも、配光を広くすることが可能となる。
【００８４】
天面６７の光透過率を側周面６８の光透過率よりも小さくすることにより配光が広がる原理について、図１０を用いて説明する。図１０に示すように、光源モジュール２から出射された光が透光部１２の天面６７に達すると、達した光の大部分は透光部１２を透過して外部に出射されるが、一部の光は光源モジュール２の方向に反射される。この反射された光は、光源モジュール２の設置面に設けられた反射板で再度反射されて、一部が透光部１２の側周面６８に達し、外部に出射される。よって、光源モジュール２から出射されて天面６７に達した光の一部が、側周面６８を透過して外部に出射されることになり、配光が広がることになる。
【００８５】
なお、天面６７の光透過率を側周面６８の光透過率よりも低くしてあるので、天面６７からよりも側周面６８からの方が光は透過され易い。よって、天面６７に出射された光を側周面６８から出射させることができるので、配光を広げることが可能となる。また、透光部１２の少なくとも天面６７の部分で光を拡散するようにすることにより、ＬＥＤのような指向性が強い光源であっても、天面６７で拡散させて反射させることができるので、より広範に配光を広げることが可能となる。
（実施の形態２）
次に、本発明の実施の形態２の照明装置について説明する。
【００８６】
図１１は、実施の形態２の照明装置の要部縦断面図である。実施の形態２の照明装置は、実施の形態１の照明装置と透光部を除いて同一の構成である。
【００８７】
本実施の形態の照明装置７１の透光部７２は、第１の領域としての天面７３の部分が、その周囲の第２の領域としての側周面７４の部分よりも、断面方向の厚みを厚くしている。このように、天面７３を側周面７４よりも厚くすることにより、ポリカーボネート等の同一の材料で透光部７２を形成する場合であっても、容易に天面７３における第１の光透過率を側周面７４における第２の光透過率よりも小さくすることができる。よって、実施の形態１の照明装置と同様の効果を得ることができる。つまり、均一の光透過率の透光部を用いた照明装置よりも、広い配光を得ることが可能となる。
（実施の形態３）
次に、本発明の実施の形態３の照明装置について説明する
図１２は、実施の形態３の照明装置の要部縦断面図である。実施の形態３の照明装置は、実施の形態１の照明装置と透光部を除いて同一の構成である。
【００８８】
本実施の形態の照明装置８１の透光部８２は、円筒形状ではなく、透光部８２の外周面を丸くした半球形状である。また、透光部８２は、第１の領域としての天面８３の部分が、第２の領域としての側周面８４の部分の厚さよりも、断面方向の厚みを厚くしている。このように、天面８３を側周面８４よりも厚くすることにより、ポリカーボネート等の同一の材料で透光部８２を形成する場合であっても、容易に天面８３における第１の光透過率を側周面８４における第２の光透過率よりも小さくすることができる。従って、実施の形態１の照明装置と同様の効果を得ることができる。つまり、均一の光透過率の透光部を用いた照明装置よりも、広い配光を得ることが可能となる。
【００８９】
また、天面８３の中心に向かうにつれて徐々に厚みを厚くしているので、最も光源モジュール２からの光が強く照射される中心部分において、反射する光量を増やすことができるので、側周面８４から出射される光量が多くなり、配光をより広範に広げることができる。また、外周面が丸い半球形状であるので、円筒形状の透光部よりも配光を広げることができる。
（実施の形態４）
次に、本発明の実施の形態４の照明装置について説明する
図１３は、実施の形態４の照明装置の要部縦断面図である。実施の形態４の照明装置は、実施の形態１の照明装置と透光部を除いて同一の構成である。
【００９０】
本実施の形態の照明装置９１の透光部９２は、複数の透光部から構成されている。円筒形状の透光部９２の第１の領域としての天面９４に透光部９２と同じ材料の透光板９３を重ねることにより、天面９４の厚さを、第２の領域としての側周面９５の厚さよりも、厚くしている。よって、天面９４における第１の光透過率を側周面９５における第２の光透過率よりも小さくすることができる。従って、実施の形態１の照明装置と同様の効果を得ることができる。つまり、均一の光透過率の透光部を用いた照明装置よりも、広い配光を得ることが可能となる。なお、天面に重ねる透光板の光透過率は、透光部の天面の光透過率よりも小さくして異ならせていてもよい。例えば、透光部の光透過率を６０％とし、透光板の光透過率を３０％とすることにより、天面の光透過率を側周面の光透過率よりも小さくすることができる。
【００９１】
以上、実施の形態１から実施の形態４までの説明において、様々な形態の透光部を示して説明したが、配光特性が異なる複数種類の透光部を用意しておき、上述したような螺合構造等で透光部を容易に取り替え可能とする構成とするようにしてもよい。取替え可能な構成とすることにより、照明装置が設置される場所や時刻に応じて、使用者が透光部を選択することが可能となるので、照明装置の汎用性を向上させることもできる。
【００９２】
また、透光部が、第１の領域と第２の領域の２つの光透過率の異なる領域を有する場合について説明したが、３つの以上の光透過率が異なる領域を有していてもよい。また、配光を広げたい方向に応じて、光源から光が直接照射される部分の光透過率を最も低くし、配光を広げたい部分の光透過率を、光が透過し易いように光透過率の大きくすることが好ましい。
【００９３】
さらに、ＬＥＤ電球を本発明の照明装置の一例として説明したが、これに限定されず、スポットライト、ダウンライト等の透光部を用いて配光を制御する照明装置であってもよい。また、光源は、ＬＥＤに限定されず、他の半導体発光素子、ＥＬ（Ｅｌｅｃｔｒｏｌｕｍｉｎｅｓｃｅｎｃｅ）等であってもよい。
【符号の説明】
【００９４】
１、７１、８１、９１  照明装置
２  光源モジュール
３  放熱部
６  放熱溝
７  駆動回路部
８  収容部
１０  口金
１１  連結体
１２、７２、８２、９２  透光部
２３  反射部
６７、７３、８３、９４  天面（第１の領域）
６８、７４、８４、９５  側周面（第２の領域）
９３  透光板
【図２】
2010198808.tif 000003
【図３】
2010198808.tif 000004
【図４】
2010198808.tif 000005
【図５】
2010198808.tif 000006
【図６】
2010198808.tif 000007
【図７】
2010198808.tif 000008
【図８】
2010198808.tif 000009
【図９】
2010198808.tif 000010
【図１０】
2010198808.tif 000011
【図１１】
2010198808.tif 000012
【図１２】
2010198808.tif 000013
【図１３】
2010198808.tif 000014
【図１４】
2010198808.tif 000015
【図１】
2010198808.tif 000016